(57)【要約】【課題】本体と蓋とをヒンジ部を介して一体成形したプロテクタにおいて、ヒンジ部が破損しても蓋と本体とが外れないようにする。【解決手段】ワイヤハーネスを収容する底壁と両側壁とを有する本体と、該本体の一方の側壁の突出端にヒンジ部を介して連結した蓋を備え、前記ヒンジ部による連結部と反対側の前記蓋の他端と前記本体の他方の側壁とに互いに結合するロック部を設け、かつ、前記ヒンジ部は前記本体の一方の側壁と前記蓋の一端との間に長さ方向に部分的に設け、該ヒンジ部を設けていない箇所には、前記本体の一方の側壁と前記蓋の一端とを互いに結合する被ロック部とロック部を設けている。【選択図】図１
2012170263.tif 000002
【特許請求の範囲】
【請求項１】
車両に配索するワイヤハーネスに外装する樹脂成形品からなるプロテクタであって、
前記ワイヤハーネスを収容する底壁と両側壁とを有する本体と、該本体の一方の側壁の突出端にヒンジ部を介して連結した蓋を備え、
前記ヒンジ部による連結部と反対側の前記蓋の他端と前記本体の他方の側壁とに互いに結合するロック部を設け、かつ、
前記ヒンジ部は前記本体の一方の側壁と前記蓋の一端との間に長さ方向に部分的に設け、該ヒンジ部を設けていない箇所には、前記本体の一方の側壁と前記蓋の一端とを互いに結合する被ロック部とロック部を設けていることを特徴とするワイヤハーネス用のプロテクタ。
【請求項２】
前記ヒンジ部は、前記本体の側壁との連結部の第１薄肉部と、前記蓋の一端との連結部の第２薄肉部と、該第１薄肉部および第２薄肉部にそれぞれ連続する部分の第１厚肉部および第２厚肉部と、該第１厚肉部の他端と第２厚肉部の他端を連結する中央薄肉部とからなり、前記第１薄肉部、第２薄肉部および中央薄肉部を支点として、該ヒンジ部は前記本体および蓋に囲まれる内方に向かって屈曲する形状としている請求項１に記載のワイヤハーネス用のプロテクタ。
【請求項３】
前記ヒンジ部の長さは、前記蓋を本体の底壁と平行に配置して本体の開口を塞いだ状態で前記蓋に設けたロック部が本体の被ロック部の真上に位置し、ロック部を下降させて被ロック部と結合する構成としている請求項２に記載のワイヤハーネス用のプロテクタ。
【発明の詳細な説明】
【技術分野】
【０００１】
本発明はワイヤハーネス用のプロテクタに関し、特に、プロテクタの本体に蓋の幅方向の一端を薄肉ヒンジを介して連結して一体成形したプロテクタにおいて、薄肉ヒンジ部に損傷が生じても蓋と本体の結合を確保し、蓋と本体との間からワイヤハーネスがはみ出さないようにするものである。
【背景技術】
【０００２】
従来、自動車等の車両に配索するワイヤハーネスは、外部干渉材からのワイヤハーネスの保護およびワイヤハーネスの経路規制を図る必要がある領域では、樹脂成形品からなるプロテクタを外装している。
該プロテクタは、略樋形状の本体と、該本体の上面開口を閉鎖する蓋とからなり、実開平６−２９０３０号で提案されているような、本体と蓋とを薄肉ヒンジ部を介して一体成形する場合と、本体と蓋とを別体で成形する場合とがある。
【０００３】
前者の一体型のプロテクタは、通常、図８に示すように、本体１０１と蓋１０２とを薄肉ヒンジ部１０３を介して連結した状態でプロテクタ１００は一体成形されている。この一体型とすると、部品管理が容易であり、かつ、薄肉ヒンジ部１０３と反対側の蓋１０２の側端と本体とをロック結合すれば良い等の利点がある。
【０００４】
しかしながら、前記薄肉ヒンジ部１０３を介して本体１０１と蓋１０２とを一体としたプロテクタでは、薄肉ヒンジ部１０３は薄肉で強度が低く、かつ、図８（Ｂ）に示すように、１８０度回転させて蓋１０２を閉じ、蓋１０２のロック部１０５と本体１０１の被ロック部１０６とを位置合わせしてロック結合するため、ロック位置がずれてロック作業をやり直すと、蓋１０２の回転頻度が多くなり、薄肉ヒンジ部１０３に小さいヒビが入った白化状態になりやすい。該状態になると、何らかの衝撃が加わると薄肉ヒンジ部に大きな亀裂が生じやすくなる。亀裂が入って薄肉ヒンジ部が割れると、該薄肉ヒンジ部側では本体と蓋とがロック結合されていないため、本体と蓋とが離反し、電線が本体と蓋との間からはみ出す恐れがある。よって、薄肉ヒンジ部に亀裂が入ると、本体から蓋にかけて粘着テープを巻き付けて、本体と蓋とが離反しないようにする必要がある。
【先行技術文献】
【特許文献】
【０００５】
【特許文献１】実開平６−２９０３０号
【発明の概要】
【発明が解決しようとする課題】
【０００６】
本発明は、前記本体と蓋とが薄肉ヒンジ部を介して一体成形されたプロテクタにおいて、薄肉ヒンジ部の形状を改良して、蓋と本体のロック結合時の位置合わせがスムーズにでき、薄肉ヒンジ部の白化発生を低減し、かつ、万一、薄肉ヒンジ部が白化して亀裂が入っても薄肉ヒンジ部側の蓋と本体との結合を保持できるようにすることを課題としている。
【課題を解決するための手段】
【０００７】
前記課題を解決するため、本発明は、車両に配索するワイヤハーネスに外装する樹脂成形品からなるプロテクタであって、
前記ワイヤハーネスを収容する底壁と両側壁とを有する本体と、該本体の一方の側壁の突出端にヒンジ部を介して連結した蓋を備え、
前記ヒンジ部による連結部と反対側の前記蓋の他端と前記本体の他方の側壁とに互いに結合するロック部を設け、かつ、
前記ヒンジ部は前記本体の一方の側壁と前記蓋の一端との間に長さ方向に部分的に設け、該ヒンジ部を設けていない箇所には、前記本体の一方の側壁と前記蓋の一端とを互いに結合する被ロック部とロック部を設けていることを特徴とするワイヤハーネス用のプロテクタを提供している。
【０００８】
前記のように、本体の一方の側壁と蓋の一方とをヒンジ部で連結したプロテクタでは、従来、ヒンジ部で連結した側には本体と蓋とをロック結合するロック部を設けていないが、本発明のプロテクタでは、ヒンジ部で連結する側にも、ヒンジ部を設けていない箇所にロック部を設けている。これにより、ヒンジ部に亀裂が入り、ヒンジ部で本体と蓋とが連結されない状態となっても、ロック結合部で本体と蓋との連結を保持できる。
【０００９】
前記ヒンジ部は、前記本体の側壁との連結部の第１薄肉部と、前記蓋の一端との連結部の第２薄肉部と、該第１薄肉部および第２薄肉部にそれぞれ連続する部分の第１厚肉部および第２厚肉部と、該第１厚肉部の他端と第２厚肉部の他端を連結する中央薄肉部とからなり、前記第１薄肉部、第２薄肉部および中央薄肉部を支点として、該ヒンジ部は前記本体および蓋に囲まれる内方に向かって屈曲する形状としている。
【００１０】
従来のプロテクタでは、前記図８に示すように薄肉ヒンジ部は、蓋を閉じた状態で該蓋と本体の外側に出た状態で湾曲しているが、本発明のヒンジ部は蓋を閉じた状態で蓋と本体に囲まれた内部でＶ形状に突出し、最終的には前記第１厚肉部と第２厚肉部とが重なる状態としている。このように、ヒンジ部を外部に突出させず、プロテクタ内部に収容することで、ヒンジ部に外部干渉材による衝撃が加わらないようにして、ヒンジ部に亀裂が生じないようにしている。
【００１１】
また、ヒンジ部には第１、第２厚肉部を設けていることで、蓋が長尺であっても位置決め保持でき、ヒンジ部と反対側の蓋と本体とのロック結合部の位置合わせが容易かつ正確にできると共に、ヒンジ側に設けた蓋と本体とのロック結合部の位置合わせが容易かつ正確にできる。
【００１２】
さらに、前記ヒンジ部の長さは、前記蓋を本体の底壁と平行に配置して本体の開口を塞いだ状態で前記蓋に設けたロック部が本体の被ロック部の真上に位置し、ロック部を下降させて被ロック部と結合する構成としている。
ヒンジ部を前記形状とすることで、蓋のロック部を本体の被ロック部に対して上方から下向きに差し込むように挿入でき、挿入作業性を高めることができる。
【発明の効果】
【００１３】
前記のように、本発明に係わる本体と蓋とをヒンジ部を介して一体成形したプロテクタにおいて、ヒンジ部で連結している側にも本体と蓋との間にロック係合部を設けているため、ヒンジ部に損傷が生じても、ヒンジ部での本体と蓋との連結を保持でき、本体と蓋に粘着テープを巻き付ける必要はなく、かつ、本体と蓋との間から電線がはみ出すことを防止できる。かつ、本体と蓋とを一体成形品としているため、部品管理が容易になる利点を保持できる。
【図面の簡単な説明】
【００１４】
【図１】本発明の実施形態のプロテクタの斜視図である。
【図２】図１のプロテクタの平面図である。
【図３】（Ａ）は図２のＡ−Ａ線断面図、（Ｂ）は（Ａ）の点線囲み部分の拡大図である。
【図４】（Ａ）は図２のＢ矢視方向の側面図、（Ｂ）は要部拡大図である。
【図５】蓋を９０度回転させた状態を示し、（Ａ）は図２のＡ−Ａ線断面図、（Ｂ）は図２のＢ矢視方向の側面図である。
【図６】蓋を１８０度回転させた状態を示し、（Ａ）は図２のＡ−Ａ線断面図、（Ｂ）は図２のＢ矢視方向の側面図である。
【図７】蓋を本体側へ押し下げてロック結合した状態を示し、（Ａ）は図２のＡ−Ａ線断面図、（Ｂ）は図２のＢ矢視方向の側面図である。
【図８】（Ａ）〜（Ｃ）は従来例を示す図面である。
【発明を実施するための形態】
【００１５】
以下、本発明のプロテクタの実施形態を図１乃至図７を参照して説明する。
プロテクタ１は本体２と蓋３とをヒンジ部４を介して連結した一体成形品である。
本体２は略樋形状で、底壁１０と、該底壁１０の幅方向の両端から立設した側壁１１、１２とを備え、上面開口としている。
蓋３は本体１０の上面開口を閉鎖する平板形状で、幅方向の一端を本体２の側壁１１の上端とヒンジ部４を介して連結している。該ヒンジ部４は長さ方向の両側部には設けていない。
【００１６】
本体２の長さ方向の両端には、側壁１１、１２の外面上端に被ロック部となるコ字枠状のロック枠１３、１４、１５、１６を突設している。側壁１１のロック枠１３と１４とはヒンジ部４を挟む位置に設けている。
蓋３には前記ロック枠１３〜１６と対向する４隅に、ロック部となるロック片２１、２２、２３、２４を下向きに突設し、各ロック片２１〜２４の下端に係止爪２１ａ〜２４ａを突設している。
前記ロック片２１〜２４は前記ロック枠１３〜１６に上方から挿入し、係止爪２１ａ〜２４ａをロック枠１３〜１６の下縁に係止してロック結合するものとしている。
【００１７】
前記ヒンジ部４は、図３（Ｂ）及び図４（Ｂ）に示すように、本体２の側壁１１との連結部となる第１薄肉部３１と、蓋３の一端との連結部となる第２薄肉部３２と、該第１薄肉部３１および第２薄肉部３２にそれぞれ連続する部分となる第１厚肉部３３および第２厚肉部３４と、該第１厚肉部３３の他端と第２厚肉部３４の他端を連結する中央薄肉部３５とからなる。前記第１厚肉部３３と第２厚肉部３４とは同一長さとしている。
【００１８】
前記蓋３の端面に連結する第２薄肉部３２は図３（Ｂ）に示すように、蓋の内側縁に連結し、本体２の側壁１１に連結する第１薄肉部３１は側壁１１の上端面の外側縁に連結している。
【００１９】
蓋３を本体２に被せる時、ヒンジ部４は第１薄肉部３１、第２薄肉部３２および中央薄肉部３５を支点として、本体２および蓋３に囲まれる内方に向かってＶ字状に屈折させ、最終的に図７に示すように、第１、第２厚肉部３３、３４が重なる形状としている。
【００２０】
つぎに、前記プロテクタ１にワイヤハーネスを通し、プロテクタの本体２に蓋をロック結合する操作について説明する。
【００２１】
図３、４に示すように、蓋３を開いた状態で、本体２の上面開口からワイヤハーネス５０の電線群を本体２の内部に挿通する。この蓋３を開いた状態で、ヒンジ部４は中央薄肉部３５が頂点となる山形状に突出する。
ワイヤハーネス５０を本体２に通した後、蓋３をヒンジ部４を支点として回転させる。蓋３を９０度回転させた状態で図５（Ａ）（Ｂ）に示すように、蓋３は本体２の側壁１１の真上に位置し直線状となる。この時、ヒンジ部４は回転方向に突出する。
【００２２】
更に蓋３を９０度回転させて、１８０度回転させると、図６（Ａ）（Ｂ）に示すように、蓋３は本体２の上面開口を塞ぐ水平状態となるが、ヒンジ部４は側壁１２側に向けて横向きＶ形状になり、この屈曲したヒンジ部４を介して蓋３は本体２の上方に浮いた状態となる。
この状態で、蓋３のロック片２１〜２４は夫々本体２のロック枠１３〜１６の真上に位置する。
【００２３】
図７（Ａ）（Ｂ）に示すように、ヒンジ側のロック片２１、２２をそれぞれロック枠１３、１４に上方から下向きに挿入しロック結合する。また、反ヒンジ側のロック片２３、２４をそれぞれロック枠１５、１６に上方から下向きに挿入しロック結合する。
前記ヒンジ側のロック結合と、反ヒンジ側のロック結合とは、どちらを先に結合してもよい。また、長さ方向の一端側のロック片２１と２３をロック枠１３、１５にロック結合した後に、長さ方向の他端側のロック片２２と２４をロック枠１４、１６にロック結合してもよい。
【００２４】
ロック結合時に、蓋３のロック片２１〜２４はそれぞれ本体２のロック枠１３〜１６の上方位置に正確に位置合わせされる。これは、ヒンジ部４に第１、第２厚肉部３３、３４を設けてヒンジ部４の剛性を高めているため、ヒンジ部４の回転時に蓋３が本体２に対して位置ずれすることはなく、設計通りに、ロック片２１〜２４はそれぞれロック枠１３〜１６の真上に位置される。よって、ロック結合時に、蓋３のロック片２１〜２４をロック枠１３〜１６に位置合わせするために、再度、蓋３を回転させる必要はない。その結果、ロック操作性が良くなると共に、ヒンジ部４の第１、第２、中央薄肉部３１、３２、３５に小さいヒビが発生する白化現象が生じるのも防止でき、ヒンジ部４の亀裂発生も阻止できる。
【００２５】
また、前記ヒンジ部４に亀裂が入っても、ヒンジ部４は本体２と蓋３に囲まれたプロテクタ１の内部に位置するため、ヒンジ部４は外部干渉材により衝撃をうけにくく、亀裂から破損に到ることも防止できる。
【００２６】
さらに、ヒンジ部４が万一破損しても、ヒンジ部４を挟む両側でロック片２１、２２をロック枠１３、１４にロック結合しているため、蓋３のヒンジ部４側が本体２から離反することはなく、蓋３と本体２との間からワイヤハーネスの電線がはみ出すのを確実に防止できる。
【符号の説明】
【００２７】
１  プロテクタ
２  本体
３  蓋
４  ヒンジ部
１０  底壁
１１  側壁
１３〜１６  被ロック部のロック枠
２１〜２４  ロック部のロック片
２１ａ〜２４ａ  係止爪
３１  第１薄肉部
３２  第２薄肉部
３３  第１厚肉部
３４  第２厚肉部
３５  中央薄肉部
５０  ワイヤハーネス
【図１】
2012170263.tif 000003
【図２】
2012170263.tif 000004
【図３】
2012170263.tif 000005
【図４】
2012170263.tif 000006
【図５】
2012170263.tif 000007
【図６】
2012170263.tif 000008
【図７】
2012170263.tif 000009
【図８】
2012170263.tif 000010